(57)【要約】  ディスク上のデータベースを持つディジタルビデオディスクの内容の管理は、ＤＶＤの外部に、前記データベースの情報を保存するステップを含む。前記保存された情報に基づいて、前記コンテンツに対する提案された変更に前記ディジタルビデオディスクが対応するように動作可能であるか否かがチェックされる。例えばＤＶＤの残りのリソースが該変更を為すに十分である場合のように、前記ディジタルビデオディスクがかように動作可能であると前記チェックが決定した場合、前記変更を前記ディジタルビデオディスクに対して実行し、対応して前記ディスク上のデータベースを更新する。好ましくは、ディスク上の変更及び更新は、ユーザインタフェースによる対話的なユーザの許可を必要とする。
2008527594.tif 000002
【特許請求の範囲】
【請求項１】
ディスク上のデータベースを持つディジタルビデオディスクのコンテンツを管理する方法であって、前記方法は、
前記ディジタルビデオディスクの外部に、前記データベースの情報を保存するステップと、
前記保存された情報に基づいて、前記コンテンツに対する提案された変更に前記ディジタルビデオディスクが対応するように動作可能であるか否かをチェックするステップと、
前記チェックするステップが、前記ディジタルビデオディスクがかように動作可能であると決定した場合、前記変更を前記ディジタルビデオディスクに対して実行し、対応して前記ディスク上のデータベースを更新するステップと、
を有する方法。
【請求項２】
前記変更が許可されるか否かをユーザにより示すステップを更に有し、前記変更及び更新は、前記許可を必要とする、請求項１に記載の方法。
【請求項３】
前記コンテンツを管理するためのデータベースを前記ディジタルビデオディスクの外部に作成するステップを更に有し、前記保存するステップは、前記作成されたデータベースに対してのものであり、前記チェックするステップは、前記作成されたデータベースに基づくものである、請求項１に記載の方法。
【請求項４】
前記ディジタルビデオディスクがかように動作可能であるとの決定は、前記提案された変更を反映するように前記作成されたデータベースを変更するステップを含み、前記更新するステップは、前記変更されたデータベースを前記ディジタルビデオディスクにコピーする、請求項３に記載の方法。
【請求項５】
前記変更するステップに先立ち、変更されるべき前記作成されたデータベースのコピーを作成し、前記チェックするステップが前記ディジタルビデオディスクがかように動作可能であると決定した場合に前記コピーを更新するステップを更に有する、請求項４に記載の方法。
【請求項６】
前記ディジタルビデオディスク上の前記データベースを、前記ディジタルビデオディスクの前記コンテンツと合致させるように、前記コピーを前記ディジタルビデオディスクにコピーするステップを更に有する、請求項５に記載の方法。
【請求項７】
前記方法は繰り返し実行され、前記更新するステップは現在の繰り返しから次の繰り返しまで選択的に延期される、請求項３に記載の方法。
【請求項８】
前記チェックするステップは、前記コンテンツのために現在予約されている前記ディジタルビデオディスクのリソースを表す少なくとも２つの統計を、それぞれの最大閾値と比較するステップを有する、請求項１に記載の方法。
【請求項９】
前記提案された変更を、ユーザによって対話的に指定するステップを更に有する、請求項１に記載の方法。
【請求項１０】
前記更新するステップの延期は、ユーザが前記コンテンツに更なる変更を為す意思を対話的に示した場合に発生する、請求項９に記載の方法。
【請求項１１】
ディスク上のデータベースを持つディジタルビデオディスクのコンテンツを管理するディジタルビデオディスクレコーダであって、
前記データベースの情報を保存するための、前記ディジタルビデオディスクの外部のメモリと、
前記保存された情報に基づいて、前記コンテンツに対する提案された変更に前記ディジタルビデオディスクが対応するように動作可能であるか否かをチェックし、前記チェックが、前記ディジタルビデオディスクがかように動作可能であると決定した場合、前記ディジタルビデオディスクに対し前記変更を実行し、対応して前記ディスク上のデータベースを更新するように構成された記録プロセッサと、
を有するディジタルビデオディスクレコーダ。
【請求項１２】
前記変更の実行及び更新は、ユーザによる前記変更の許可を必要とするように構成された、請求項１１に記載のディジタルビデオディスクレコーダ。
【請求項１３】
前記保存された情報は、前記コンテンツを管理するための前記メモリ中に作成されたデータベースを有し、前記チェックは、前記作成されたデータベースに基づくものである、請求項１１に記載のディジタルビデオディスクレコーダ。
【請求項１４】
前記ディジタルビデオディスクがかように動作可能であるとの決定は、前記提案された変更を反映するように前記作成されたデータベースを変更することを含み、前記更新は、前記変更されたデータベースを前記ディジタルビデオディスクにコピーする、請求項１３に記載のディジタルビデオディスクレコーダ。
【請求項１５】
前記変更に先立ち、変更されるべき前記作成されたデータベースのコピーを作成し、前記チェックが前記ディジタルビデオディスクがかように動作可能であると決定した場合に前記コピーを更新するように更に構成された、請求項１４に記載のディジタルビデオディスクレコーダ。
【請求項１６】
前記ディジタルビデオディスク上の前記データベースを、前記ディジタルビデオディスクの前記コンテンツと合致させるように、前記コピーを前記ディジタルビデオディスクにコピーするように更に構成された、請求項１５に記載のディジタルビデオディスクレコーダ。
【請求項１７】
前記チェックは、前記コンテンツのために現在予約されている前記ディジタルビデオディスクのリソースを表す少なくとも２つの統計の、それぞれの最大閾値に対する比較を有するように更に構成された、請求項１１に記載のディジタルビデオディスクレコーダ。
【請求項１８】
前記提案された変更を、ユーザによって対話的に指定するためのユーザインタフェースを更に有する、請求項１１に記載のディジタルビデオディスクレコーダ。
【請求項１９】
ユーザインタフェースを更に含み、ユーザが前記コンテンツに更なる変更を為す意思を前記ユーザインタフェースによって対話的に示した場合に、前記ディスク上のデータベースの前記更新を延期するように更に構成された、請求項１１に記載のディジタルビデオディスクレコーダ。
【請求項２０】
請求項１１に記載のレコーダを有する、ハードディスクドライブ及びディジタルビデオディスクのコンビネーション・ボックス。
【請求項２１】
前記提案される変更は、前記ディジタルビデオディスクに対して実行可能な複数の動作からの少なくとも１つのユーザによる選択を有し、前記複数の動作の少なくとも１つは、前記ディジタルビデオディスク上に存在し、前記ディジタルビデオディスク上に存在するコンテンツのテーブルに列記された記録物を上書きすることを可能とされた、請求項１１に記載のディジタルビデオディスクレコーダ。
【請求項２２】
ディジタルビデオディスクのコンテンツを管理するためのコンピュータプログラムであって、前記コンピュータプログラムはプロセッサにより読み取り可能な媒体に収録され、前記コンピュータプログラムは、
前記ディジタルビデオディスクの外部に、前記コンテンツを管理するためのデータベースを作成するステップと、
前記作成されたデータベースに基づいて、前記コンテンツに対する提案された変更に前記ディジタルビデオディスクが対応するように動作可能であるか否かをチェックするステップと、
前記チェックするステップが、前記ディジタルビデオディスクがかように動作可能であると決定した場合、前記変更を前記ディジタルビデオディスクに対して実行し、対応して前記コンテンツを管理するための前記ディジタルビデオディスク上のデータベースを更新するステップと、
を有する動作を実行するように動作可能な命令を含むコンピュータプログラム。
【発明の詳細な説明】
【技術分野】
【０００１】
本発明は、ディジタルビデオディスク（ＤＶＤ）のコンテンツの管理に関し、更に詳細には、ＤＶＤがコンテンツに対する提案される変更（例えば１以上の記録物の追加）に対応できるか否かのチェックに関する。
【背景技術】
【０００２】
幾つかの消費者向け電子装置（ＣＥ）製造者は、例えば再書き込み可能なＤＶＤのような光ディスクドライブ（ＯＤＤ）にハードディスクドライブ（ＨＤＤ）を組み合わせたビデオレコーダを市場に出している。後者のタイプのものは一般にＨＤＤ−ＤＶＤコンビネーション・ボックス（combination box）、又は省略して「コンビ（combi）」と呼ばれる。斯かるコンビは、ＯＤＤにより提供されるアーカイブ機能により拡張された、個人向けビデオレコーダ（ＰＶＲ）としても知られる、ＨＤＤベースのビデオレコーダを含む。ＨＤＤのコンテンツをＯＤＤにアーカイブする該機能は、ＨＤＤ、ＣＤドライブ及びＤＶＤドライブ、更に好ましくはＣＤ及びＤＶＤ書き込み装置を持つ最新のＰＣにおいても一般に見出される。
【０００３】
ＤＶＤの論理的なレイアウトは、最近登場しているＤＶＤビデオレコーディング（ＤＶＤ＿ＶＲ）規格の幾つかの制約を受ける。ＤＶＤの関連するリソースは、記録物（recordings）の数、チャプタの数、仮想チャプタ（以下「ＶＲチャプタ」と呼ぶ）の数、セルの数、セクタの数及びビデオオブジェクトユニット（ＶＯＢＵ）の数に関して、制限される。
【０００４】
ＤＶＤの「記録物」とはここでは、ハードディスクからＤＶＤへのタイトルのアーカイブの結果を指す。タイトルは、例えば映画であっても良い。各記録物は、整数個のチャプタから成る。ＤＶＤ＿ＶＲ規格下においては、１つの記録物はまた整数個のＶＲチャプタを持ち、後者は必ずしもチャプタと一致しない。各チャプタは、整数個のセルを持ち、各セルは整数個のＶＯＢＵを持ち、各ＶＯＢＵは整数個のセクタを持つ。
【０００５】
各ＶＯＢＵは、ＮａｖＰａｃｋに後続する。ＮａｖＰａｃｋは、或る場面から別の場面へのジャンプ、特定の場面の検索、早送り及び巻き戻しのようなトリックプレイモード動作、及びマルチアングルビューやペアレンタルコントロール（parental control）に基づく表現の構成等の際に、ＤＶＤをナビゲートすることを支援する。
【発明の開示】
【発明が解決しようとする課題】
【０００６】
ＤＶＤ＿ＶＲ規格は、試みられたＤＶＤへの記録がリソースの不足により失敗した場合の状況に対する特定の対処を必要としない。先行技術の解決方法のひとつは、適切なリソースを割り当てることなく記録を継続することである。他の先行技術の解決方法は、不足が分かった場合に記録を停止することである。これらの方法は、例えばナビゲーションを妨害しディスク空間を浪費するため、十分なものではない。
【０００７】
同一の発明者による、本発明の譲受人に譲渡された係属中の仮出願「Dispersive Chapter-Allocation to DVD Recordings」（Philips社発明開示692816）は、最終的な記録物の劣化を最小化する、リソース不足に適切に対処する一方法を開示している。
【課題を解決するための手段】
【０００８】
本発明は、記録物がアーカイブされているＤＶＤのコンテンツを最適に管理するため、ユーザインタラクションのような付加的な要素を導入する。
【０００９】
一態様においては、ディスク上のデータベースを持つディジタルビデオディスクの内容を管理する方法は、ＤＶＤの外部に、前記データベースの情報を保存するステップを含む。前記保存された情報に基づいて、前記コンテンツに対する提案された変更に前記ディジタルビデオディスクが対応するように動作可能であるか否かがチェックされる。前記方法は更に、前記チェックが、前記ディジタルビデオディスクがかように動作可能であると決定した場合、前記変更を前記ディジタルビデオディスクに対して実行し、対応して前記ディスク上のデータベースを更新する。
【発明を実施するための最良の形態】
【００１０】
ここで開示される本発明の詳細は、図を用いて説明される。
【００１１】
図１は、本発明による、ユーザインタラクティブ・アーカイブ型ＨＤＤ−ＤＶＤコンビネーション・ボックス１００の例を示す。ボックス１００は、ＤＶＤレコーダ１０４及び関連する光ディスクドライブ（ＯＤＤ）１０８、並びにハードディスクレコーダ１１２及び関連するハードディスクドライブ（ＨＤＤ）１１６を含む。ＤＶＤレコーダ１０４は、メモリ１２４及びユーザインタフェース（ＵＩ）１２８に通信可能に連結された記録プロセッサ１２０を含む。メモリ１２４は一般に、揮発性及び不揮発性要素を有し、ランダムアクセスメモリ（ＲＡＭ）、読み取り専用メモリ（ＲＯＭ）及び／又はこれらのいずれかの変形を含んでも良い。
【００１２】
図２は、記録プロセッサ１２０の構成要素及びメモリ１２４に保存された構造の例を示す。記録プロセッサ１２０のこれら構成要素は、チェックアプリケーション（ＣＡ）１２０、ハードディスクタイトルサービス（ＨＴＳ）２２０及び光ディスク記録サービス（ＯＤＲＳ）２３０を含む。メモリ１２４における構造はシャドーレコーディング・データベース（ＳＲＤ）２４０を含み、好ましくは更に記録物データベース（ＲＤ）２５０及びタイトルデータベース（ＴＤ）２６０を含む。図示されていないが、該メモリはまた、最初はＳＲＤ２４０と同一であるコピー（「新ＳＲＤ」又はＮＳＲＤと呼ばれる）を保存する。また、ＯＤＤ１０８及びＨＤＤ１１６は共にそれぞれのディスク上のデータベースを持ち、これらデータベースは、メモリ１２４におけるコピーの代わりに、それぞれＲＤ２５０及びＴＤ２６０として働く。
【００１３】
ＲＤ２５０は、ＤＶＤに保存された記録物によるＤＶＤリソースの使用状況に関する統計を含む。ＯＤＲＳ２３０は、ＤＶＤのディスク上データベースをコピーすることにより、メモリ１２４にＲＤ２５０を作成する。例えばＤＶＤがブランクである場合など、ディスク上データベースが存在しない場合には、例えば＋ＲＷ、＋Ｒ又は二層＋Ｒといった、光ディスクのタイプに基づいて、空のデータベースが作成される。
【００１４】
ユーザは、ＣＡ２１０を制御するため、ＵＩ１２８を操作する。ＣＡ２１０は、ＯＤＲＳ２３０により、ＤＶＤ上の記録物の状態を取得する。ユーザはまた、ＨＤ上のタイトルを要求するためＵＩ１２８を操作し、これによりＨＴＳ２２０にＴＤ２６０から読み取り又は取得を行わせる。
【００１５】
図３は、説明の目的のものであって限定的でない例として、ＨＤＤからＤＶＤへのアーカイブの際に、提案された動作が、ＤＶＤ上のコンテンツの論理的な構成に影響を与える際に利用されるリソースに関連する所定の制約に従うか否かをチェックするための手順３００を示す。最初に、ディスク上の管理データベースがメモリ１２４にコピーされ、ＲＤ２５０を作成する。ＤＶＤがブランクであり、それ故管理データベースがない場合には、ＲＤ２５０はブランクである（ステップＳ３０４）。ユーザは、ＵＩ１２８を介して、アーカイブ動作（ステップＳ３１２）を選択するように促される（ステップＳ３０８）。アーカイブ動作の例は、アーカイブされるべきタイトルを追加すること、又はアーカイブされるべきタイトルの指定されたセットを追加することである。本例においては、ＨＤ上のタイトルは、当該タイトルのアーカイブに起因する、ＤＶＤ上の「記録物」に対応する。次いで提案されたアーカイブ動作が実行され、対応してＲＤ２５０が更新される（ステップＳ３１６）。実行はアクティブモードで為され、このことは該アーカイブ動作が実際にＨＤからＤＶＤへと実行されることを意味する。一般に、ユーザは次いで、更なるアーカイブ動作を所望するか否かを決定するよう促される（ステップＳ３０８）。
【００１６】
ユーザが更なる動作を指示し、且つ直前に実行されたアーカイブ動作によりリソースの使用状況が限界に十分に近い場合、ユーザはこのことを通知され、残りのＤＶＤリソースに基づいてアーカイブ動作が予めチェックされることを通知される。一方、リソースの使用状況が対応する限界に十分に近くないと決定された場合、更なるアーカイブ動作のために制御はステップＳ３１２へと戻る。一方、ユーザが更なるアーカイブを所望しないと指示し、ＲＤ２５０の更新が為された（ステップＳ３１６）場合、ディスク上のデータベースが、ＲＤ２５０に基づいて更新される（ステップＳ３２０）。該更新により、該ディスク上のデータベースが、アーカイブにより変更されているコンテンツと合致したものとなる。ユーザはここで、アーカイブが完了したか否かについての入力を促される（ステップＳ３２４）。アーカイブが継続されるべき場合には、制御はステップＳ３０８に戻り、ユーザがそれに従って入力を促される。しかしながら、以下に説明されるような、ユーザが単に提案されるアーカイブ動作をチェックすることに関心がある場合のように、ＲＤ２５０において更新が為されていない場合には、制御はステップＳ３２４に直接分岐する。
【００１７】
リソースの使用状況が限界に十分に近いと決定され、且つユーザがアーカイブを継続することを所望すると指示した場合、チェック手順が起動される。ユーザは該チェック手順へと直接に進み、ディスク上のデータベース及びことによるとＤＶＤ＋Ｒディスク上のセクタの更新は、時間の浪費を防ぐために延期される。最初に、ＳＲＤ２４０及びＮＳＲＤが、ＲＤ２５０に基づいて更新される（ステップＳ３２８）。ユーザは、ここではチェックモードで、アーカイブ動作を選択するよう促される（ステップＳ３３２）。チェックモードにおいては、ＤＶＤへの実際のアーカイブは、該アーカイブが可能であるか否か、及び該動作が可能であることを通知されたユーザが該動作を実行することを選択するか否かをチェックするため、延期される。かくして、ＣＡ２１０により許可されているにもかかわらずユーザがアーカイブ動作を許容したくない場合には、ユーザは、ステップＳ３０８へと戻ることにより、チェック手順から抜け出ることができる。ユーザがアーカイブ動作を選択すると、ＳＲＤ２４０はＮＳＲＤに基づいて更新され（ステップＳ３３６及びＳ３４０）、選択された動作によりリソース制約が超過されるか否かをチェック処理が決定する（ステップＳ３４４）。該チェックは、ＳＲＤ２４０に対して、提案されたアーカイブ動作を実行することにより実行される。該動作が可能であると決定された場合、アーカイブ動作がＤＶＤに対する将来の実行のためにメモリ１２４において待ち行列に入れられ、ＮＳＲＤがＳＲＤ２５０に基づいて更新される（ステップＳ３４８）。いずれの場合においても、ユーザは動作が可能であるか否かを通知され、ユーザがチェック手順を継続することを望むか否かの入力を促される（ステップＳ３３２）。
【００１８】
ユーザがチェック手順から抜け出したいと欲する場合、制御はステップＳ３０８へと進み、チェックされた動作は実行されない。従って、ユーザは、アーカイブ動作を実行する必要なく、アーカイブ動作を単にチェックするためにチェック手順を利用することができる。一方、ユーザがチェック手順を継続することを欲する場合、ユーザは、更なるアーカイブ動作を実行することをユーザが欲するか否かについて入力を促される（ステップＳ３３２）。ユーザが更なるアーカイブ動作を実行することを欲する場合、当該アーカイブ動作が実行され（ステップＳ３３６、Ｓ３４０及びＳ３４４）、そうでなければ、更なるアーカイブがない場合には、ＲＤ２５０がＮＳＲＤに基づいて更新され、アーカイブ動作の待ち行列がＤＶＤに対して実行される（ステップＳ３５２）。ユーザは次いで、該ユーザが更なるアーカイブを実行することを欲するか否かについて入力を促される（ステップＳ３０８）。更なるアーカイブがある場合、制御はステップＳ３２８へ戻る。しかしながら、更なるアーカイブが指示されない場合、ディスク上のデータベースはＲＤ２５０に基づいて更新され（ステップＳ３２０）、アーカイブが完了する。
【００１９】
図４に列記されるものは、ユーザがＵＩ１２８により選択することが可能な、ＤＶＤ動作の例である。以上において議論された動作「タイトルを追加」４１０は、タイトル又はタイトルの指定された群を追加するために、ユーザにより呼び出されることができる。追加は例えば、ＣＡ２１０がＨＴＳ２２０からのフィードバックにより形成したメニューから、１以上のタイトルをライトペンを操作して選択することにより実行されても良い。
【００２０】
タイトルの追加は、ＤＶＤ上に存在する記録物を上書きするために可能とされても良い。従って例えば、ステップＳ３４４におけるチェック処理は、最新の記録物又は追加されるタイトルとＤＶＤ記録可能媒体の末尾との間のディスクセクタ（それぞれが２キロバイト）が、追加されるべきタイトルを収容することができないことを発見しても良い。しかしながら、チェック処理は、最も古い記録物を上書きするように実装されても良く、又はそのようなモードに設定されても良い。該設計によれば、上書きするＤＶＤの部分を選択する際に、ＵＩ１２８によってユーザが必要とされても良いし、又は必要とされなくても良い。
【００２１】
本発明の本実施例について上書きが可能とされる場合、チェック処理は好ましくは、予約されたリソースの数だけでなく、利用可能なリソースが消費され得る実際のＤＶＤ上の位置をも保持する。ステップＳ３４４におけるようなＳＲＤ２４０におけるアーカイブ動作の実行は、該情報を自動的に保持する。
【００２２】
一方で、上書きが可能とされない場合、チェック処理Ｓ３４４は、単純さのため、それぞれの閾値と比較したリソースの数を保持することに縮小させられ得る。斯かる実施例においては、チェックはデータベースに対して実行される必要はなく、その代わり、チェックはリソースの制約に対しての比較を為すことにより実行される。チェックがユーザにより許容されると、ステップＳ３５２において、アーカイブ動作の待ち行列が、ＲＤ２５０に対して実行される。従って、ＳＲＤ２４０及びＮＳＲＤは省かれることができる。例えば、タイトルがチェックのために追加され（ステップＳ３４０）、ユーザが該チェックに基づくＤＶＤへの更新を実行しないことを決定する場合（ステップＳ３３２）、ステップＳ３５２は迂回されステップＳ３０８に制御が戻っても良いことは留意されたい。この時点で、チェックに先立ついずれのユーザのアーカイブも（ステップＳ３１６）、及びＤＶＤに対して完了されＲＤ２５０に対して実行されたいずれの以前にチェックされた動作も（本実施例について再設計されたステップＳ３５２）、更新されたＲＤにおいて反映される。ＲＤ２５０が更新されている場合、制御はステップＳ３２０へ分岐し、そうでなければ、制御はステップＳ３２４へ分岐する。
【００２３】
上書きはまた、又は代替として、記録物とは対照的に、タイトルに対してイネーブル／ディスエーブルにされても良い。追加されるタイトルのためにＤＶＤ媒体に十分な空きが存在しない場合には、動作「タイトルを追加」は、以前に追加されたタイトルを完全に又は部分的に上書きしても良い。このことは、これら追加されたタイトルのために予約されたＤＶＤリソースを完全に又は部分的に解放する。
【００２４】
動作「追加されたタイトルを消去」４２０は、チェック手順３００において追加されたものであるが、未だＤＶＤに記録されていないタイトルを消去する。該動作が対応する追加動作の直後に呼び出された場合、又は上書きが可能とされていない場合、消去は単に追加を取り消す。そうでなければ、介在動作が単に対応するタイトルの追加の取り消しを防ぐ。例えば、タイトルの消去は、ＣＡ２１０が、当時確認されたリソースの不足に基づいて許容された記録物の上書きを取り消すことを可能とする。
【００２５】
アーカイブのための空きを作成するため、ユーザは「記録物を消去」（４３０）しても良い。動作「記録物を消去」は、当該記録物により予約されたリソースを解放する。
【００２６】
動作「消去された記録物を復元」４４０は、「タイトルを追加」４１０と「追加されたタイトルを消去」４２０との動作の対に関して以上に説明されたものと同様の態様で、動作「記録物を消去」４３０を取り消す。
【００２７】
「記録物をロック」４５０は、記録物が消去されることを防ぎ、それにより記録物のために予約されたいずれのリソースもが取り去られることを防ぐ。
【００２８】
「記録物をアンロック」４６０は、他の動作の対について以上に説明されたものと同様の態様で、動作「記録物をロック」４５０を取り消す。
【００２９】
図５は、図３におけるチェック処理のステップＳ３４０についてのアルゴリズムの例を示す。既存の記録物と追加されたタイトルとの組み合わせにより予約された特定のリソースの数が対応する閾値を超えた場合、提案された動作は実行されることができず（ステップ５１０乃至５７０）、そうでなければ該動作が実行されることができる（ステップＳ５８０）。
【００３０】
本発明の好適な実施例と考えられるものが以上に示され説明されたが、形態又は詳細における種々の修正及び変更が、本発明の精神から逸脱することなく容易に為され得ることは勿論理解されるであろう。例えば、ＣＡ２１０は、リソースの使用状況が限界に十分に近い場合にもユーザに通知しないように実装されても良い。その代わりユーザは、チェック手順にいつ入るかを独自に決定するために、リソースの使用状況及び付随する限界並びにタイトルの統計の表示を頼みとしても良い。それ故、本発明は説明され示されたとおりの形態に限定されるものではなく、添付される請求項の範囲となる全ての変更をカバーするものと解釈されるべきであることが意図される。
【図面の簡単な説明】
【００３１】
【図１】本発明によるユーザインタラクティブ・アーカイブ型ＨＤＤ−ＤＶＤコンビネーション・ボックスのブロック図を示す。
【図２】図１における記録プロセッサ及びメモリに関する機能図を示す。
【図３】本発明によるチェック手順の例を示すフロー図である。
【図４】本発明による、図３におけるチェック手順内のチェック処理を実行する際にユーザにより呼び出され得る動作の例のリストである。
【図５】チェック処理の間のＤＶＤ記録プロセッサによる処理の一例を示すフロー図である。
【図１】
2008527594.tif 000003
【図２】
2008527594.tif 000004
【図３】
2008527594.tif 000005
【図４】
2008527594.tif 000006
【図５】
2008527594.tif 000007
【国際調査報告】
2008527594.tif 000008
2008527594.tif 000009
2008527594.tif 000010
2008527594.tif 000011